(57)【特許請求の範囲】
【請求項１】
扁平状のハウジング３から形成された雌体１と、可撓性のある差込脚部３０を備えた雄体２とを差し込み係合するバックルにおいて、雌体１と雄体２との係合時における雌体１と雄体２の平面上の突合部１５、３８において、両側に水平な直線部１１、３３、中央に凹部１２または凸部３４を設け、凸部３４は先端がやや狭くなる台形状に突出し、凹部１２は入口が拡大する凹陥状に形成し、直線部１１，３３と凸部３４または凹部１２とで突合部１５，３８を形成し、雄体２における両側の直線部３３および中央の凸部３４の周縁隅角部を切欠し一段と低く形成して段差部３６を設け、雌体１の突合部１５と重合状に密接可能に形成してなることを特徴とするバックル。
【請求項２】
直線部１１、３３と凹部１２または凸部３４から形成する突合部１５、３８を雌体１と雄体２の表裏両面に形成してなる請求項１記載のバックル。
【請求項３】
直線部１１、３３と凹部１２または凸部３４から形成する突合部１５、３８を雌体１と雄体２の片面に形成し、反対面は直線状の突合部１５、３８に形成してなる請求項１記載のバックル。
【発明の詳細な説明】
【０００１】
【発明の属する技術分野】
この発明は、扁平状のハウジングから形成された雌部材と、一対の可撓性のある差込脚部を備えた雄部材とから形成され、雄部材の一対の可撓性のある差込脚部を雌部材のハウジングに差し込み、差込脚部をハウジングに係止して用いるベルト緊締用のバックルに関するものである。
【０００２】
【従来の技術】
従来の扁平状のハウジングから形成された雌部材すなわち雌体と、一対の可撓性のある差込脚部を備えた雄部材すなわち雄体との差込形式によるバックルは、雌体と雄体との差し込み時における雌体と雄体の突き合わせ部分を単純な直線状に形成するのがよく知られている。また図１６に示すように、雌体の扁平なハウジングにおける差込口を直線状に仕上げ、雄体はベルト挿通部分の枠体における両側の側枠の先端をハウジングの差込口縁に当接させ、突き合わせる形態のバックルが知られている。このバックルは、たとえば特開平９−１３５７０９号公報に開示されている。
【０００３】
さらに、図１７に示すように、扁平状のハウジングから形成した雌体と、一対の差込脚部を備えた雄体とからなるバックルで、差し込み形式によって雄体の差込脚部を雌体のハウジングに差し込んだとき、雌体と雄体との突き合わせ部分が、雌体の両端において僅かに湾曲状に切り落とし、雄体の両端を僅かに円弧状に突出する形態に形成し、それぞれの端部を中央部分の直線部で連結した形態のバックルがアメリカ特許第５５９０４４４号明細書に開示されている。
【０００４】
【発明が解決しようとする課題】
前項で述べた従来の雌体のハウジングにおける差込口および雄体の差込脚部の基部を直線状に形成し、雌体と雄体の突き合わせ面を直線状に形成したバックル、および図１６に示す雌体のハウジングの差込口を直線状に形成し、雄体はベルト挿通部分の枠体における両側枠の先端を差込口に当接させる突合部のバックルは、ともに雌体と雄体との差し込み係合時にバックルががたつき安定性に欠け、しかも差込脚部をハウジングに差し込む際も中央のガイド杆のみでは円滑な差し込み操作は期待できない。
【０００５】
また図１７に示したバックルは、雌体のハウジングに雄体の差込脚部を差し込んだとき、雌体と雄体との突き合わせ面は、バックルの両側端の湾曲部で拘束し保持するものであるから、雌体と雄体とは左右にクリアランスがあるとスリップし、がたつく傾向があるなど問題点がある。
【０００６】
この発明は、上述の問題点を考慮して発明されたものであり、この発明のうち請求項１記載の発明は、扁平状のハウジングから形成した雌体と、一対の可撓性のある差込脚部を備えた雄体とからなるバックルにおいて、雌体と雄体とを差し込み係合したとき、雌体と雄体との突き合わせ面すなわち突合部の平面的な形状が、バックルの両側に水平な直線部、中央部分に一方が凹部、他方が凸部を形成する突合部であり、バックルは突合部の中央部分で確実に左右の揺動を阻止し、バックルのがたつきを防止して差込み操作のガイド性を円滑にし、また雄体の突合面を特殊な形態に形成することによって、雌体と雄体とが体裁よく接合が達成できるバックルを提供することが主たる目的である。
【０００７】
請求項２記載の発明は、請求項１記載の発明の目的に加え、直線部と凹部または凸部とから形成される突き合わせ面をバックルの表裏両面に形成することによって、バックルの側面形状が平坦状のバックルに適した突合面に形成し、いずれの面からも差し込むことができる突合部を備えたバックルを提供することが目的である。
【０００８】
請求項３記載の発明は、請求項１記載の発明の目的に加え、直線部と凹部または凸部とから形成される突き合わせ面をバックルの片面のみに形成することによって、バックルの側面形状に反りがあるバックルに適した突合部に形成し、バックルを表裏逆に差し込むことができないタイプのバックルを提供することが目的である。
【０００９】
【課題を解決するための手段】
前記の目的を達成するため、この発明のうち請求項１記載の発明は、扁平状のハウジング３から形成された雌体１と、左右一対の可撓性のある差込脚部３０を備えた雄体２とを差し込み係合するバックルにおいて、雌体１と雄体２との差し込み係合時における雌体１と雄体２との平面上における突き合わせ面、すなわち突合部１５、３８において、突合部１５、３８の両側に水平な直線部１１、３３を設け、突合部１５、３８の中央部分に一方は凹部１２、他方が凸部３４、または一方が凸部３４、他方が凹部１２を設け、凸部３４は先端がやや狭小に突出する台形状に形成し、凹部１２は入口が拡大する凹陥状に形成し、直線部１１，３３と凸部３４または凹部１２とで突合部１５，３８を形成するとともに、雄部２における両側の直線部３３および中央の凸部３４における周縁の隅角部を切り欠いて一段と低く形成して段差部３６を設け、雄体２の突合部１５と重合状に密接可能に形成したバックルを主な構成とするものである。
【００１０】
請求項２記載の発明は、請求項１記載の発明の構成に加え、バックルの両側に直線部１１、３３、中央部分に凹部１２または凸部３４から形成する突合部１５、３８を、バックルの雌体１と雄体２の表裏両面に形成したバックルである。
【００１１】
請求項３記載の発明は、請求項１記載の発明の構成に加え、バックルの両側に直線部１１、３３、中央部分に凹部１２または凸部３４から形成する突合部１５、３８を、バックルの雌体１と雄体２の片面に形成したバックルである。
【００１２】
【発明の実施の形態】
以下、この発明のバックルの実施の形態について、図面を参照しながら具体的に説明する。
この発明のバックルは、図１に示すように、扁平な筒状のハウジング３から形成し、ハウジング３の両サイドに凹欠部１０を設けた雌体１と、一対の可撓性のある差込脚部３０を枠体２０から突設し、枠体２０にはベルト調整部２１を備えた雄体２とから形成し、雌体１のハウジング３に雄体２の差込脚部３０を差し込んで係止する形態のバックルであり、バックルの雌体１および雄体２の素材は、ポリアセタール、ポリアミド、ポリプロピレン、ポリプチレンテレフタレートなどの熱可塑性樹脂を用いて射出成形加工手段によって、一体成形したバックルである。
【００１３】
図１〜１２に示す第１実施例のバックルについて説明すると、雌体１は図５〜８に示すように上面板４、下面板５、側壁６からなる扁平な筒状のハウジング３から形成され、このハウジング３の一端に雄体２の差込脚部３０を差し込むことができる差込口７を設け、他端にはベルトを取り付けることができるようにベルト挿通孔８および取付杆９を設け、またハウジング３の両側壁６には凹状に切り欠いた凹欠部１０を設けて、雄体２の差込脚部３０を押圧操作ができる形に形成する。
【００１４】
ハウジング３の差込口７は両側に水平な直線部１１を設け、中央部分に入口がやや拡大する凹陥状の凹部１２を連設して、雄体２との突き合わせ面すなわち突合部１５を形成する。ハウジング３の内側には中央長手方向に上面板４および下面板５に中仕切片１３を突設し、雄体２のガイド杆３５をガイドする。またベルト挿通孔８側の上面板４と下面板５の両側内面に雄体２の差込脚部３０の係合突部３２と係合できる係止突部１４が突設されている。なお図中１６は係止突部１４を成形するためのコア用孔部である。
【００１５】
雄体２は図９〜１２に示すように、一端にベルト調整部２１を備えたコ字状の枠体２０を設け、この調整部２１はベルトを引っ掛ける引掛杆２２と、ベルトを係止するための係止杆２３とを並列状に枠体２０の側枠２４に架設し、枠体２０の基部２５と引掛杆２２との間にベルト挿通孔２６を形成する。引掛杆２２は基部２５に向け水平に係止爪２７を突設し、係止杆２３の先端下面に波形状の係止部２８を設けて、ベルトの滑動を阻止する。
【００１６】
枠体２０の基部２５の両側に雌体１のハウジング３に差し込み係合できる可撓性を備えた差込脚部３０を突設し、差込脚部３０は中間にハウジング３の凹欠部１０に嵌入できる拡張された押圧部３１を設け、差込脚部３０の先端側はやや内側に湾曲して、ハウジング３に対する挿脱が容易に行える形に形成し、先端の表裏面に雌体１の係止突部１４と係合できる係合突部３２を形成する。差込脚部３０をハウジング３に差し込んだ際、ハウジング３のサイドから現出している差込脚部３０の押圧部３１を側面から押圧することによって、係合突部３２を係止突部１４から離脱させると差込脚部３０の反りに従って雄体２を雌体１から抜脱させることができる。
【００１７】
枠体２０の両側の基部２５前端、すなわち差込脚部３０を突設した部分は、水平な直線部３３に形成し、中央部分は前方へ突出する凸部３４を設け、この凸部３４は先端がやや狭くなる台形状に形成して、雌体１との突き合わせ面すなわち突合部３８を形成する。この台形状の凸部３４の前端に断面Ｈ字状のガイド杆３５を突設し、ガイド杆３５はハウジング３の内面に設けた中仕切片１３に沿って挿入できる。
【００１８】
枠体２０の表裏両面における両側の直線部３３、および中央部分の凸部３４の周縁を図１２に示すように、隅角部分を切り欠いて一段と低くなる段差部３６を周縁に形成する。この段差部３６は、雌体１のハウジング３に雄体２の差込脚部３０を差し込んだ際、ハウジング３の差込口７内に重なり合う形で嵌め込み、安定した差し込みができる。なお図１０に示す凸部３４の裏面および差込脚部３０の押圧部３１の裏面には、バックルの軽量化を図るための凹陥部３７が形成されている。
【００１９】
このバックルは、雌体１のハウジング３の差込口７から雄体２の一対の可撓性のある差込脚部３０およびガイド杆３５を差し込むのであるが、差込脚部３０の外面はハウジング３の側壁６によってガイドされ、またガイド杆３５はハウジング３の上面板４と下面板５の内面に形成した中仕切片１３にガイドされて差し込み、差込脚部３０の先端表裏面に設けた係合突部３２を、ハウジング３の上面板４と下面板５との内面に突設した係止突部１４に係合させ、雌体１と雄体２とに形成した突合部１５、３８を突き合わせて密接状態に固定する。なおバックルにベルトを装着するには、ベルトの一端を雌体１の取付杆９に取り付け、他端を雄体２のベルト調整部２１の係止杆２３の下面から引掛杆２２を捲回して、また係止杆２３の下面を通して外方へ引き出してベルトを装着する。
【００２０】
この発明のバックルの特徴は、雌体１のハウジング３の差込口７に形成した突き合わせ面すなわち突合部１５と、雄体２の枠体２０の前面に形成した突き合わせ面すなわち突合部３８とは、それぞれ両側に直線部１１、３３を設け、この直線部１１、３３に連接して相反する形状の凹部１２を雌体１の中央部分に、また凸部３４を雄体２の中央部分に設け、雌体１に雄体２を差し込んだとき、突合部１５、３８における両側の直線部１１、３３と中央部分の凹部１２および凸部３４によって、中央部分の凸部３４を凹部１２が抱える形で拘束して保持し、バックルの左右の揺動すなわちがたつきを簡単な形状で積極的に阻止させるところに特徴がある。
【００２１】
図１３〜１５に示す第２実施例のバックルについて説明すると、このバックルの雌体１および雄体２の表面の形状は第１実施例のバックルの雌体１および雄体２の形状と同一である。すなわち雌体１は、ハウジング３の差込口７における上面板４に形成する突合部１５は、両側に水平な直線部１１を形成し、中央部分に入口がやや拡大する凹陥状の凹部１２を連設し、ハウジング３の両側壁６の中間に凹状に切り欠いた凹欠部１０を設ける。ハウジング３の裏面は図１４に示すように、差込口７の下面板５の突合部１５は両側の直線部１１を延長し、凹部１２を形成することなく全体を直線部１１に形成した構成が第１実施例の雌体１とは異なる。
【００２２】
従って、雄体２も枠体２０の表面の基部２５に形成する突合部３８は、両側に水平な直線部３３を設け、この直線部３３に連接して中央部分に前方へ突出する凸部３４を設け、この凸部３４は先端がやや狭くなる台形状に形成する。また枠体２０の裏面の基部２５に形成する突合部３８は、雌体１の突合部１５と同様に全体が水平な直線部３３を呈するように形成する。そして枠体２０の基部２５の両側に可撓性を備えた差込脚部３０および中央にガイド杆３５を設け、他面にベルト引掛杆２２および係止杆２３からなるベルト調整部２１を設ける構成は第１実施例の雄体２と同様である。
【００２３】
この表裏の突合部が異なるタイプのバックルは、図１５に示すようにバックル全体が反り返った状態、すなわち湾曲した形態のバックルに適用し、雌体１に対し雄体２を一定方向のみ差し込むことができるように形成し、正常な状態以外は使用できない形態で、表裏逆方向に雄体２を差し込むことができないところにこのバックルの特徴がある。
【００２４】
なお、このバックルの雄体２における表裏面の基部２５に形成する突合部３８の周縁の隅角部分を切り欠いて段差部３６を形成し、雌体１のハウジング３に差し込んだとき、双方の突合部１５、３８が密接し、雄体２の段差部３６はハウジング３の差込口７に重なり合う形で嵌まり込み、安定した状態で保持できる。
【００２５】
【発明の効果】
この発明のバックルは、以上説明したとおりの構成であり、この構成によって下記の効果を奏する。
この発明のうち請求項１記載の発明は、扁平状のハウジングから形成された雌体と、可撓性のある差込脚部を備えた雄体とを差し込み係合するバックルにおいて、雌体と雄体との係合時における雌体と雄体の平面状の突合部において、両側に水平な直線部、中央に凹部または凸部を設け、凸部は先端がやや狭くなる台形状に突出し、凹部は入口が拡大する凹陥状に形成し、直線部と凸部または凹部とで突合部を形成し、雄体における両側の直線部および中央の凸部の周縁隅角部を切欠し一段と低く形成して段差部を設け、雄体の突合部と重合状に密接可能に形成したことによって、下記の効果を奏するものである。
【００２６】
バックルにおける左右の揺動、かつがたつきを中央の台形状の凸部また相反する凹部とで防ぎ、突合部の中央における凸部を凹部が拘持し、両側の直線部で動きを規定し、直線部および凸部の周縁の隅角部を切り欠いて段差部を設けて雌体と雄体とを的確かつ安定した状態で接合でき、ガイド性のよいバックルが得られる効果がある。
【００２７】
請求項２記載の発明は、請求項１記載の発明の効果に加え、直線部と凹部または凸部から形成する突合部を雌体と雄体の表裏両面に形成したことによって、雄体を表裏両面のいずれの面からも差し込むことができ、突合面が表裏対象であるから表裏の別なく使用できる平坦なバックルに最適である効果がある。
【００２８】
請求項３記載の発明は、請求項１記載の発明の効果に加え、直線部と凹部または凸部から形成する突合部を雌体と雄体の片面に形成し、反対面は直線状の突合部に形成したことによって、雄体が一定の面のみが差し込むことができ、差し込みが規制されるので方向性のあるバックル、また湾曲したバックルに最適である効果があるなど、この発明が奏する効果はきわめて顕著である。
【図面の簡単な説明】
【図１】  第１実施例のバックルの斜視図である。
【図２】  同上バックルの係合状態を示す正面図である。
【図３】  同上バックルの係合状態を示す背面図である。
【図４】  同上バックルの係合状態を示す側面図である。
【図５】  同上バックルの雌体の正面図である。
【図６】  同上バックルの雌体の背面図である。
【図７】  同上バックルの雌体の側面図である。
【図８】  同上バックルの図５におけるＡ−Ａ線断面図である。
【図９】  同上バックルの雄体の正面図である。
【図１０】  同上バックルの雄体の背面図である。
【図１１】  同上バックルの雄体の側面図である。
【図１２】  同上バックルの雄体の図９におけるＢ−Ｂ線断面図である。
【図１３】  第２実施例のバックルの係合状態を示す正面図である。
【図１４】  同上バックルの係合状態を示す背面図である。
【図１５】  同上バックルの係合状態を示す側面図である。
【図１６】  公知のバックルの正面図である。
【図１７】  他の公知のバックルの正面図である。
【符号の説明】
１              雌体
２              雄体
３              ハウジング
４              上面板
１１、３３      直線部
１２            凹部
１５、３８      突合部
２２            引掛杆
２６            挿通孔
３０            差込脚部
３４            凸部
３６            段差部
【図１】
0003701187.tif 000002
【図２】
0003701187.tif 000003
【図３】
0003701187.tif 000004
【図４】
0003701187.tif 000005
【図５】
0003701187.tif 000006
【図６】
0003701187.tif 000007
【図７】
0003701187.tif 000008
【図８】
0003701187.tif 000009
【図９】
0003701187.tif 000010
【図１０】
0003701187.tif 000011
【図１１】
0003701187.tif 000012
【図１２】
0003701187.tif 000013
【図１３】
0003701187.tif 000014
【図１４】
0003701187.tif 000015
【図１５】
0003701187.tif 000016
【図１６】
0003701187.tif 000017
【図１７】
0003701187.tif 000018